(57)【要約】  【課題】  ２つの錠手段６４、６５を１つの鍵手段６７で解施錠する。  【解決手段】  ケース本体の固定枠２の前固定部２ａに第１錠手段６４と第２錠手段６５とを、その鍵穴６４ｂ，６５ｂが同一直線状に並ぶように固定し、鍵手段６７の棒状の挿入部６７ｂが鍵穴６４ｂを貫通し、先端の鍵部６８が鍵穴６５ｂに嵌まる。鍵手段６７を施錠方向に回動すると、第１掛け金６９が起立して、扉の支持枠９の下方の係止ブロック７１の前面に当接する。一方、支持枠９に水平回動可能に設けられたロック規制ブロック７１の背面を第２掛け金７０が押して、ロック規制ブロック７１を介して第１掛け金６９の施錠姿勢を保持する。【選択図】  図１５
2006226070.tif 000002
【特許請求の範囲】
【請求項１】
ケース本体の開口部に配置された少なくとも一枚以上のガラス板等の扉を、扉の厚さ方向と平行状な前後方向に移動させた後、前記開口部の間口方向と平行状に移動させるように支持する案内支持手段を備えてなる展示ケースにおいて、
前記ケース本体側には、密閉位置の前記扉の支持枠を前方に移動することを阻止する第１錠手段と、この第１錠手段による施錠状態を保持するための第２錠手段とを備えたことを特徴とする展示ケース。
【請求項２】
前記第１錠手段の後部に前記第２錠手段を配置し、前記両錠手段を解施錠するための１つの鍵手段における挿入部が貫通する前記第１錠手段における鍵穴と、前記鍵手段の挿入部の先端が嵌まる前記第２錠手段における鍵穴とが同一軸線上に配置されていることを特徴とする請求項１に記載の展示ケース。
【請求項３】
前記第１錠手段と前記第２錠手段との間に、前記第１錠手段における施錠状態の第１掛け金の動きを規制するためのロック規制プレートが回動可能に配置され、前記第２錠手段における第２掛け金が施錠時に前記ロック規制プレートの回動を阻止するように構成されていることを特徴とする請求項１または２に記載の展示ケース。
【請求項４】
前記第１錠手段における施錠状態の第１掛け金は、前記扉の支持枠の前面に圧接するように構成されていることを特徴とする請求項１乃至３のいずれかに記載の展示ケース。
【請求項５】
前記ケース本体の基部のカバー体に、前記鍵手段の挿入部が通過する挿入孔が穿設され、前記カバー体よりケース本体の内側に、前記第１錠手段と前記第２錠手段とを、その両鍵穴と前記挿入孔と同一軸線上となるように配置したことを特徴とする請求項２乃至４のいずれかに記載の展示ケース。
【請求項６】
複数の前記第１錠手段を間口方向に適宜隔てて直列状に配置し、そのうちの１つの第１錠手段の解施錠操作に連動して他の第１錠手段も解施錠動作するように連結したことを特徴とする請求項１乃至５のいずれかに記載の展示ケース。
【発明の詳細な説明】
【技術分野】
【０００１】
本発明は、博物館等に設置する作りつけ等の展示ケースに係り、より詳しくは、ケース本体の開口部に配置したガラス製等の扉をその板厚さ方向に移動させる一方、その扉の間口方向に移動させて開閉するようにした展示ケースにおける扉を解施錠する装置の構造に関するものである。
【背景技術】
【０００２】
特許文献１及び２では、博物館等に設置する展示ケースにおけるケース本体の前面（開口部）を、複数枚のガラス製等の透明な扉にて面一状に並設して密閉状とし、そのうちの少なくとも一枚の扉を、その厚さ方向であってケース本体の前方にずらして開口部との空間を開けたのち、当該扉の一側部を基端にして水平回動して開くことができる構成が開示されている。
【０００３】
そして、前記特許文献１では、扉をケース本体に密閉した状態で施錠するためのシリンダ錠を、ケース本体の基台の側面に設け、前後移動可能な扉の下側支持枠の側面に穿設された係合孔に、前記シリンダ錠の掛け金が突出して施錠できる構成が開示されている。
【０００４】
他方、特許文献２では、扉をケース本体に密閉した状態で施錠するためのシリンダ錠を、前後移動可能な扉の下支持枠に設け、このシリンダ錠の掛け金が下向き回動して、本体ケースの下部枠の縦板の裏面に係合する構成が開示されている。
【特許文献１】特開平７−１７１０３８号公報
【特許文献２】特開平９−１２１９９１号公報
【発明の開示】
【発明が解決しようとする課題】
【０００５】
しかしながら、特許文献１及び２の構成では、錠前がただ１つであるため、防盗性が乏しいという問題があった。
【０００６】
この問題を解決するために、複数の錠前を異なる位置に設けることが考えられるが、そうすると、別々に錠前を解施錠しなければならず、操作が面倒であり、また施錠し忘れが発生し、防盗性が確実でないという問題があった。
【０００７】
本発明は、１箇所に２つの錠手段をまとめることにより、より防盗性の高い安全な展示ケースを提供することを目的とするものである。
【課題を解決するための手段】
【０００８】
この技術的課題を解決するため、請求項１に係る発明の展示ケースは、ケース本体の開口部に配置された少なくとも一枚以上のガラス板等の扉を、扉の厚さ方向と平行状な前後方向に移動させた後、前記開口部の間口方向と平行状に移動させるように支持する案内支持手段を備えてなる展示ケースにおいて、前記ケース本体側には、密閉位置の前記扉の支持枠を前方に移動することを阻止する第１錠手段と、この第１錠手段による施錠状態を保持するための第２錠手段とを備えたことを特徴とする展示ケース。
【０００９】
そして、請求項２に記載の発明は、請求項１に記載の展示ケースにおいて、前記第１錠手段の後部に前記第２錠手段を配置し、前記両錠手段を解施錠するための１つの鍵手段における挿入部が貫通する前記第１錠手段における鍵穴と、前記鍵手段の挿入部の先端が嵌まる前記第２錠手段における鍵穴とが同一軸線上に配置されているものである。
【００１０】
また、請求項３に記載の発明は、請求項１または２に記載の展示ケースにおいて、前記第１錠手段と前記第２錠手段との間に、前記第１錠手段における施錠状態の第１掛け金の動きを規制するためのロック規制プレートが回動可能に配置され、前記第２錠手段における第２掛け金が施錠時に前記ロック規制プレートの回動を阻止するように構成されているものである。
【００１１】
さらに、請求項４に記載の発明は、請求項１乃至３のいずれかに記載の展示ケースにおいて、前記第１錠手段における施錠状態の第１掛け金は、前記扉の支持枠の前面に圧接するように構成されているものである。
【００１２】
請求項５に記載の発明は、請求項２乃至４のいずれかに記載の展示ケースにおいて、前記ケース本体の基部のカバー体に、前記鍵手段の挿入部が通過する挿入孔が穿設され、前記カバー体よりケース本体の内側に、前記第１錠手段と前記第２錠手段とを、その両鍵穴と前記挿入孔と同一軸線上となるように配置したものである。
【００１３】
請求項６に記載の発明は、請求項１乃至５のいずれかに記載の展示ケースにおいて、複数の前記第１錠手段を間口方向に適宜隔てて直列状に配置し、そのうちの１つの第１錠手段の解施錠操作に連動して他の第１錠手段も解施錠動作するように連結したものである。
【発明の効果】
【００１４】
請求項１に記載の発明によれば、ケース本体側には、密閉位置の前記扉の支持枠を前方に移動することを阻止する第１錠手段と、この第１錠手段による施錠状態を保持するための第２錠手段とを備えたものであるから、解錠するには、第２錠手段を先に解錠する必要があり、単に２つの錠手段を別々に設けたものに比べて防盗性が向上し、安全性が高くなるという効果を奏する。
【００１５】
請求項２に記載の発明の構成によれば、前記第１錠手段の後部に前記第２錠手段を配置し、前記両錠手段を解施錠するための１つの鍵手段における挿入部が貫通する前記第１錠手段における鍵穴と、前記鍵手段の挿入部の先端が嵌まる前記第２錠手段における鍵穴とが同一軸線上に配置されているものであるので、唯一つの鍵手段にて２つの錠手段を解施錠できるから、解施錠操作が至極簡単となると共に、一方の錠手段の施錠を忘れることがないという効果を奏する。
【００１６】
請求項３に記載の発明の構成によれば、請求項１又は請求項２に記載の発明の効果に加えて、前記第１錠手段と前記第２錠手段との間に、前記第１錠手段における施錠状態の第１掛け金の動きを規制するためのロック規制プレートが回動可能に配置され、前記第２錠手段における第２掛け金が施錠時に前記ロック規制プレートの回動を阻止するように構成されているものであるから、２つの錠手段を、その両掛け金の作動とロック規制プレートの回動とが関連できる程度に離間して配置することができるという効果を奏する。
【００１７】
請求項４に記載の発明の構成によれば、請求項１乃至３のいずれかに記載の発明の効果に加えて、前記第１錠手段における施錠状態の第１掛け金は、前記扉の支持枠の前面に圧接するように構成されているものであるから、支持枠ひいては扉の前方向（ケース本体から離間する方向）への開きを確実に阻止できる。
【００１８】
請求項５に記載の発明の構成によれば、前記ケース本体の基部のカバー体に、前記鍵手段の挿入部が通過する挿入孔が穿設され、前記カバー体よりケース本体の内側に、前記第１錠手段と前記第２錠手段とを、その両鍵穴と前記挿入孔と同一軸線上となるように配置したものであるから、第１錠手段における鍵穴が直接外から見えず、従って、第１錠手段の構造や操作等を部外者から予測できないので、防盗性が高くなるという効果を奏する。
【００１９】
請求項６に記載の発明によれば、１つの第１錠手段を解施錠操作するだけで、他の第１錠手段も解施錠できるから、複数の錠手段の解施錠操作が簡単にでき、且つ防盗性も向上するという効果を奏する。
【発明を実施するための最良の形態】
【００２０】
以下、本発明の実施形態を図面（図１〜図１６）に基づいて説明する。符号１は、本実施形態における展示ケース等のケース本体を示しており、ケース本体１は基台１ｂの上に固定されている（図１参照）。また、基台１ｂはその外周をカバー体１ｃにて覆われ、基台１ａのうちケース本体１の前面側（開口部１ａ側）におけるカバー体１ｃはその下端側を中心にして前方向に開き可能に構成されている。そして、ケース本体１の開口部１ａ側における上下部には、固定枠２，２をそれぞれ同一垂直面上に配置している。
【００２１】
扉３，３は、面一状に配置されてケース本体１の開口部１ａを密閉し得る透明ガラス板等から成る表面板３ａとアルミ押出部材等からなる上下縁枠としてのガイドレール１１とにより構成されている。表面板３ａの上下縁部の裏面と、左右長手で断面略Ｅ字状のガイドレール１１、１１の前面とにシリコン樹脂製等の接着剤１３を介して固定することにより扉３を構成する。
【００２２】
各扉３の上下部は、後述する案内支持手段４を介して、ケース本体１における開口部１ａの上下部に設けた固定枠２，２に各々左右移動可能及び前後移動可能に取付けられている。即ち、この案内支持手段４，４によって、各扉３は、その厚さ方向（開口部１ａに対して接離する前後方向、以下前後方向と称することがある）に平行状に移動させたのちその幅方向（開口部１ａに沿った左右方向、以下左右方向又は間口方向と称することがある）に平行移動可能となっている。
【００２３】
各扉３にてケース本体１の開口部１ａを閉じた状態においては、各扉３における表面板３ａが同一垂直面上に位置してこの開口部１ａの周縁に設けたパッキン６に密接することにより、当該ケース本体１を密閉している。一方、各扉３を面一状に密閉した状態から開放するときには、各扉３を、これらがパッキン６に密接する面に対して前方向に、所定量だけ前進させるのである。
【００２４】
また、各扉３を前後方向に作動させるため、ケース本体１には、駆動手段（詳細は後述する）を案内支持手段４に関連させて設けている。
【００２５】
これら案内支持手段４は、各扉３の上下部に対していずれも上下対称状に形成されており、その取付け箇所に拘らず、基本的に同じ構成である（図２参照）。そこで、一つの扉３における下部側に位置する案内支持手段４を代表として、以下、詳細に説明する。
【００２６】
案内支持手段４は、固定枠２の上面に適宜間隔でボルト止めされた複数個の摺動ブロック７（図１に示す実施形態では、一つの扉３における上下部側に各三つ、図３では一つの扉３における上下部側に各二つ示す）と、当該各摺動ブロック７に前後摺動可能に嵌挿された摺動軸７ａと、当該各摺動軸７ａの先端に固定された左右長手の支持枠９と、この支持枠９の前面（ケース本体１の開口部１ａ側の側面）に取付けられ、ガイドレール１１を支持案内するための複数個の垂直転動コロ１０とにより構成されている（図１、図２、図３及び図６参照）。
【００２７】
各摺動軸７ａの先端に固定された左右長手の支持枠９の前面には、図２に示すように、複数個の垂直転動コロ１０を取付けており、これら垂直転動コロ１０が、ガイドレール１１の後面側に開口した左右長手の嵌合溝１１ａ，１１ｂのうち下方のガイド溝としての嵌合溝１１ａに嵌るように構成している。当該嵌合溝１１ａの上下内面を垂直転動コロ１０が転動することによって、扉３は、左右摺動可能に支持されている。
【００２８】
尚、ガイドレール１１を左右摺動可能にする構成については、前記した形態に限らず、例えば、支持枠９とガイドレール１１との間に、リテーナで自転可能に保持された多数個のボールを一列状に介挿して、ガイドレール１１を軽い力で左右摺動可能とするサスペンション手段（図示せず）を採用してもよい。
【００２９】
駆動手段は、各扉３毎に設けられるものであって、１つの扉３につき１箇所の操作部３０と、少なくとも上下１箇所ずつの作動部３１、３１とを有するものであって、図示実施形態（図１、図４〜図８）では、ケース本体１の上下固定枠２、２のうち下固定枠２の下方の台枠３２の前面に左右に適宜隔てて２つの操作部ケース３３をボルト、ナット等にて固定する（図１、図４参照）。該操作部ケース３３内には、その中央に操作軸３４と四隅に従動軸３５とを各々軸受３６を介して回転自在に配置し、操作軸３４と一体回転する大歯車４０には各従動軸３５に固定した小歯車４１を噛み合わせ、１つの操作軸３４にて４つの従動軸３５を同期させて同じ方向に回転させるように構成する（図５参照）。操作軸３４の前端部（角状軸部）３４ａを操作部ケース３３の前面から突出させておく。なお、これらの操作部ケース３３及び操作軸３４は通常展示ケースの前方から見えないように、上下回動可能な巾木３７にて台枠３２の前方を覆っており、操作時には、巾木３７を倒してから（図１参照）、前端部（角状軸部）３４ａに丸ハンドル等の操作ハンドル３８を取り付けて回すように構成されている。
【００３０】
各従動軸３５の後端には、後述する各作動部３１に回転力を伝達するためのワイヤ４２の先端を差し込んで連結用止めネジ４３を介して着脱自在に連結する。また操作部ケース３３の後板に固定したガイドブロック４４には、ワイヤ４２の外周に被嵌した可撓性を有するアウター管４５の端部を差し込み、且つ該アウター管４５の端部を一定長さ以上従動軸３５の軸心と一致させる（図４参照）ことにより、内径側のワイヤ４２の回転を円滑にできるように保証している。これらのワイヤ４２つきアウター管４５はケース本体１内に配管させる（図１参照）。
【００３１】
作動部３１は、各扉３の上下部に対して少なくとも１つずつ（実施形態では、その長手方向に沿って適宜間隔にて２個）配置される。即ち、図６、図７及び図８に示すように、上下各固定枠２にボルト等にて固定したベース４６には、前後一対の支持ブロック４７、４７を立設し、該両支持ブロック４７、４７間に左右一対のガイド軸４８、４８を配置すると共にその間にネジ軸４９を両支持ブロック４７、４７に設けた軸受を介して回転のみ自在に配置する。該ネジ軸４９に螺合させた移動ブロック５０の両端は一対のガイド軸４８、４８に摺動自在に被嵌させる。移動ブロック５０に基端をネジ５１止めした連結体５２の先端を屈曲させて係止片５３を形成し、該係止片５３を支持枠９に穿設した矩形状の係止孔５４に遊嵌させる。ネジ軸４９の基端部には、ワイヤ４２の他端を差し込んで連結用止めネジ５５を介して連結する。ワイヤ４２に遊嵌したアウター管４５の他端は、一方の支持ブロック４７に固定したガイドブロック５６に差し込み、且つ該アウター管４５の端部を一定長さ以上ネジ軸４９の軸心と一致させる（図７及び図８参照）ことにより、内径側のワイヤ４２の回転を円滑にできるように保証している。
【００３２】
尚、駆動手段においては、前述の手動にて扉３を前後動させる構成に代えて、正逆回転可能な駆動モータもしくは他の駆動アクチュエータを用いても良い。
【００３３】
次に、各扉３を間口方向に沿って移動させたときに、開口部１ａに対する閉止位置（密閉作業の前段階での扉の左右方向の停止位置を、以下、単に閉止位置という）にて予め停止させ、規制するための位置規制手段２２の構成について説明する。この位置規制手段２２は、各案内支持手段４に設けられるものであり、本実施形態では、図２、図３、図７、図９及び図１０に示すように、各扉３の上下に対していずれも上下対称状に形成されているので、一つの扉３の上部側に配置されたものを代表として、以下、詳細に説明する。
【００３４】
位置規制手段２２は、ガイドレール１１における嵌合溝１１ａ，１１ｂのうち一方の嵌合溝１１ｂ（上位置のガイドレール１１に対しては上方の嵌合溝１１ｂ、下位置のガイドレール１１に対しては下方の嵌合溝１１ｂ）に対してその長手方向に適宜隔てて複数個貫設した係合ピン２３と、上位置の支持枠９の上面（下位置の支持枠９の下面）にその水平面に回動自在で係合ピン２３に対して嵌合溝１１ｂに挟まれた状態で係脱するようにした位置決め係合体２４と、支持枠９の後面に上向き突設して前方向に押圧付勢する弾性片２５とにより構成されている。
【００３５】
位置決め係合体２４及び弾性片２５は、それぞれ係合突起としての係合ピン２３に対応する個数だけ（図９に示す実施形態では、いずれも各扉３に対して二つずつ）備えられている。
【００３６】
尚、本実施形態における嵌合溝１１ｂは、溝状に形成する必要はなく、例えば、側面視段状に形成して係合ピン２３をその長手方向に適宜隔てて複数個上向き突設し、当該段状部上を位置決め係合体２４が通過して左右回動するように構成してもよい。また、位置決め係合体２４と弾性片２５とをガイドレール１１に取付け、係合ピン２３を支持枠９に取付けるように構成してもよい。
【００３７】
略扇形状に形成されて嵌合溝１１ｂに挟まれた状態で左右回動する位置決め係合体２４は、図９及び図１０に示すように、扉３が閉止位置に位置決めされたときに弾性片２５と当接する当接部２４ａと、回動半径Ｒ０の略円弧周縁の部位における中央部に凹み形成した係合凹所２４ｂと、この略円弧周縁の部位における左右両縁に所定長さＬだけ直線状に形成した回動規制部２４ｃ，２４ｃと、当接部２４ａと各回動規制部２４ｃ，２４ｃとの間に形成した肩部（略扇形状の半径方向に延びる左右両側縁）２４ｄ，２４ｄとにより構成されている。尚、位置規制手段２２は、本実施形態のように、各扉３の上下に対して上下対称状に配設されるに限らず、各扉３の上下部のうちどちらか一方のみに配設されるようにしてもよい。
【００３８】
次に、本発明に係る、各扉３がケース本体の開口部１ａの所定位置（密閉位置）にぴったりと収まり、密閉できるようにした姿勢ロック手段６０について説明する。その第１実施形態では、図２、図３及び図１１（ａ）及び図１１（ｂ）に示すように、固定枠２の前面には、各係合ピン２３に係合した状態の位置決め係合体２４の姿勢を保持しロックするための左右一対の当接アーム６１、６１が基部６２から前向き水平に延びるように設けられている。また、左右一対の当接アーム６１、６１と位置決め係合体２４とは同じ高さ位置に配置されることになる。この基部６２はボルト６３を介して固定枠２の前面に固定されている。一対の当接アーム６１、６１の先端部である当接部６１ａは、図３及び図１１（ａ）に示すように、支持枠９が後退して固定枠２に接近するとき、位置決め係合体２４の背面側から、一対の肩部（略扇形状の半径方向に延びる左右両側縁）２４ｄ，２４ｄに近づいて当接するように、位置決め係合体２４の背面に向かって前広がり状に形成されているものである。換言すると、支持枠９が後退して固定枠２に接近するとき（扉３を所定の密閉位置に後退させるとき）、平面視において、一対の当接アーム６１、６１の対向する一対の当接部６１ａにより位置決め係合体２４の背面側の左右両側縁）２４ｄ，２４ｄを誘い込んで、係合ピン２３に係合した状態の位置決め係合体２４の姿勢をロックする。そのため、姿勢ロック手段６０は位置決め係合体２４の配置位置に対応してその数だけ設けられている。
【００３９】
上記の構成により、たとえ案内支持手段４に対して扉３（ガイドレール１１、１１含めて）が左右移動し得るものであって、位置規制手段２２により、扉３を案内支持手段４に対して固定できるものでも、扉３の密閉時において、姿勢ロック手段６０の一対の当接アーム６１、６１により、係合ピン２３に係合した状態の位置決め係合体２４の一対の左右両側縁２４ｄ，２４ｄを誘い込んで当接し、当該位置決め係合体２４を回動不能の姿勢に保持（ロック）でき、扉３が間口方向にガタつかない状態でケース本体１に対して所定の密閉位置に正確にセットできるのである。
【００４０】
特に、本実施形態では、位置規制手段２２による扉３の位置決めが不完全なときに（位置決め係合体２４が若干ぐらつくとき）、ケース本体１側の前記一対の当接アーム６１、６１の存在だけで、開口部１ａでの所定の密閉位置への扉３の位置決めが至極正確に実行できるのである。
【００４１】
次に、本実施形態に採用されたその他の構成について説明する。
【００４２】
本実施形態においては、各扉３の上下部に接着剤１３を介して各ガイドレール１１を固定するようにしているが、各扉３の上下部とガイドレール１１との接着剤１３による接着面及びケース本体１における開口部１ａの周縁に設けたパッキン６が透明な扉３を介して見えなくする（隠す）ため、各扉３における対応箇所に塗装膜１２を塗布又はシート等を貼着している（図１及び図２参照）。
【００４３】
このとき、接着剤１３は塗装膜１２又はシートの裏面側に充填されるから、扉３が不用意に脱落しないようにする安全対策として、各ガイドレール１１には、鉤爪状突条１１ｃをケース本体１の前方向に突設している（図２参照）。
【００４４】
また、ケース本体１における開口部１ａの上下部にある支持枠９，９には、当該各支持枠９の後面に螺着した連結金具１８を介して、ガイドローラ１９を、そのローラ面が各ガイドレール１１に当接するように各々取付け、これにより、各扉３の前後方向への振れを防止している（図２参照）。
【００４５】
以上のように構成された展示ケースとその扉装置において、各扉３を開放・密閉する動作並びにそのときの位置規制手段２２による横方向の移動停止と姿勢ロック手段６０による密閉位置決めのについて説明する。ここで、一つの扉３における上下側に各々設置された案内支持手段４，４、駆動手段及び位置規制手段２２、姿勢ロック手段６０は、上下で同じ動作を行うように構成されている。そこで、以後、一つの扉３の上部側に配置されたものにおける動作を代表として、詳細に説明する。
【００４６】
まず、図１に示す巾木３７を開いて、図４に示す操作部３０が現れるようにし、操作ハンドル３８を操作軸３４の前端部３４ａに差し込み、所定の方向（時計方向）に回動することにより、１つの操作部３０につき４本のワイヤ４２を同時に所定方向に回動させる。各作動部３１では、前記ワイヤ４２を介してネジ軸４９を時計方向（右方向）回転のときには、移動ブロック５０が前方に移動するから、これに取付けられた連結体５２の先端の係止片５３が係止孔５４を介して支持枠９を前方に押し、図７に示すように、扉３は、前方向（扉３が開口部１ａから離れる方向）に所定距離Ｓだけ押しやられ、ケース本体１が開放される。
【００４７】
次いで、扉３を閉止位置に位置決めされた状態（図１０（Ａ）の状態参照）から左右方向に摺動させると（図１０に示す実施形態では右方向に摺動させている）、係合凹所２４ｂに係止していた係合ピン２３が、右方向に移動して位置決め係合体２４を右回動させるとともに、係合凹所２４ｂから係合ピン２３が離間していく（図１０（Ｂ）参照）。このとき、図示しないが、ケース本体１の上部側の固定枠２に設けられた二つの位置決め係合体２４，２４は、ともに同様の動作を行っている。
【００４８】
扉３をさらに右方向に摺動させると、係合凹所２４ｂの開口部が右側に向くように回動させられた位置決め係合体２４の左側の肩部２４ｄに、この位置決め係合体２４に係止していた前記係合ピン２３よりも後方に位置する係合ピン２３が衝突して、その通過が阻止される（図１０（Ｃ）参照）。
【００４９】
ここで、図１０（Ｃ）に示す位置決め係合体２４は、その右側の肩部２４ｄが弾性片２５に当接して前方向に押圧付勢されるとともに、左右両回動規制部２４ｃ，２４ｃの回動半径Ｒ１が位置決め係合体２４における略円弧状部の回動半径Ｒ０よりも大きいため、左側の回動規制部２４ｃが回動しながら通過すると、嵌合溝１６に支えるので、図１０（Ｃ）に示す姿勢以上に位置決め係合体２４が右回動することを防止されている。
【００５０】
一方、扉３を閉止位置にて停止するには、まず、図１０（Ｃ）に示す状態から、扉３を左方向に摺動させる。すると、それに応じて、係合ピン２３が左方向に移動して左側の位置決め係合体２４における係合凹所２４ｂに係合し、位置決め係合体２４を左回動させる（図１０（Ｂ）参照）。さらに、扉３を左方向に摺動させて位置決め係合体２４を左回動させると、図１０（Ａ）に示すように、当接部２４ａが弾性片２５に当接して前方向に押圧付勢され、位置決め係合体２４の左回動、ひいては、扉３の左方向への摺動を停止させる。
【００５１】
従って、位置規制手段２２が図９及び図１０（Ｃ）に示す状態にあるときに扉３が閉止位置となるように、少なくとも一つの位置規制手段２２を案内支持手段４に取付けることによって、扉３を閉止位置に停止させることが至極簡単にできるという効果を奏する。また、位置規制手段２２は、係合ピン２３、位置決め係合体２４及び弾性片２５とにより構成されているから、その構造は至極簡単となり、製造コストを低減できるという効果を奏するのである。
【００５２】
扉３が閉止位置に位置決めされた後は、操作部３０における操作ハンドル３８を前記と逆方向に回転させて複数のワイヤ４２を介して作動部３１のネジ軸４９を回し、図７、図８に示すように、連結体５２を介して支持枠９ひいては扉３は、後方向（扉３が開口部１ａに近づく方向）に所定距離Ｓだけ押しやられ、その裏面をパッキン６に押し付けることになり、ケース本体１は密閉されるのである。
【００５３】
このとき、ケース本体１における開口部１ａの固定枠２に設けた姿勢ロック手段６０の一対の当接アーム６１、６１の先端側の当接部（誘い込み部）６１ａ，６１ａに、係合ピン２３に係合した状態の位置決め係合体２４の一対の左右両側縁２４ｄ，２４ｄを誘い込んで当接するので（図１１（ａ）及び図１１（ｂ）参照）、ガイドレール１１、１１の横移動を完全にロックして、密閉位置に正確に停止させることができるのである。
【００５４】
次に、図１２〜図１６を参照しながら、扉３を密閉位置で施錠するための施錠手段について説明する。本発明に係る施錠手段は、第１錠手段６４と、第２錠手段６５とからなる。実施形態では、ケース本体１における下側の固定枠２の前固定部２ａの上面に、横断面Ｌ字状のブラケット６６をボルト等で固定し、このブラケット６６を挟んで第１錠手段６４が前位置で、第２錠手段６５が後位置にてビス等にて固定する。ブラケット６６には後述する軸状の挿入部６７ｂが回転可能に嵌まる大きい丸穴６６ａが穿設されている（図１３参照）。
【００５５】
その場合、両錠手段６４、６５を１つの鍵手段６７で解施錠することができるように、構成する。即ち、図１３に示すように、まず、第１錠手段６４における鍵穴６４ｂと、ブラケット６６の丸穴６６ａと、前記第２錠手段６５における鍵穴６５ｂとの三者が同一軸線上に配置されている。そして、１つの鍵手段６７は、ハンドル部６７ａの中央から突出する１本の挿入部６７ｂによりＴ字状に形成されている。挿入部６７ｂの中途部の断面は、角柱状などの非円形であり、第１錠手段６４の本体６４ａに貫通穿設された角穴状の鍵穴６４ｂに貫通でき、挿入部６７ｂの軸線回りの回動（図１３で時計回りの９０度回動）により図示しない機構を介して第１掛け金６９が本体６４ａの穴６４ｃから立ち上がるように回動する。また、第１掛け金６９は横断面が左右両側で厚さが薄く中央で厚さの厚い楔状に形成されている（図１３参照）。
【００５６】
鍵手段６７の挿入部６７ｂの先端部分は角錐状の鍵部６８で、その角錐の表面に複数の段付き部を有して、第２錠手段６５の本体６５ａの前面に凹み形成された鍵穴６５ｂに嵌まり、鍵手段６７の所定方向の回動（図１３で時計回りの９０度回動）により図示しない機構を介して第２掛け金７０が本体６５ａの裏面側にて立ち上がるように回動（図１３で反時計まわりに回動）する構成となっている。
【００５７】
また、前後方向に移動可能な支持枠９の下面には、第１錠手段６４における第１掛け金６９の背面が圧接し得る係止ブロック７１が溶接またはボルト等にて固定され（図１５参照）、さらに、第１錠手段６４と第２錠手段６５との間の上方位置の支持枠９の下面には、第１錠手段６４における施錠状態の第１掛け金６９の動きを規制するためのロック規制プレート７２が縦軸７３の回りに回動可能に取り付けられている（図１３〜図１５参照）。このロック規制プレート７２は、その前面先端側に鉤部７２ａが形成されている。
【００５８】
従って、施錠に際しては、１つの鍵手段６７の挿入部６７ｂを第１錠手段６４の鍵穴６４ｂに貫通させ、挿入部６７ｂの先端の鍵部６８を第２錠手段６５の鍵穴６５ｂに嵌め込んだ状態で所定方向に回動する。そうすると、第１錠手段６４の第１掛け金６９が立ち上がって、係止ブロック７１の前面に圧接或いは摺接し、支持枠９ひいては扉３が前移動不能となると共に、第１掛け金６９の楔状断面により係止ブロック７１をさらに押圧（圧接）できる。他方、第２錠手段６５における第２掛け金７０が施錠時にロック規制プレート７２の背面を押圧することで、当該ロック規制プレート７２は、図１３及び図14にて水平に反時計回り（左回り）に回動し、鉤部７２ａが立ち上がり状態（施錠状態）の第１掛け金６９の左側縁に係合して第１掛け金６９の回動を阻止する。これにより、第１掛け金６９は解錠方向に回動不能となるので、扉３は前記第１錠手段６４と第２錠手段６５とにより二重ロックされたことになる。
【００５９】
このように構成すると、前側に位置する第１錠手段６４のみを不正に解錠しようと意図しても、解錠不能であり、防盗性が格段に高まる。
【００６０】
正規に解錠するには、１つの鍵手段６７を第１錠手段６４の鍵穴６４ｂに貫通させ、挿入部６７ｂの先端の鍵部６８を第２錠手段６５の鍵穴６５ｂに嵌め込んだ状態で所定の解錠方向（図１３において反時計まわり）に回動すれば良く、解錠方向に回動する第２掛け金７０がロック規制プレート７２の背面を押圧するのを解除すると、ロック規制プレート７２は自由回動可能となり、第２錠手段６５の下向き回動する第２掛け金６９にてロック規制プレート７２を後向きに回動させると共に係止ブロック７１の前面から退避して、支持枠９ひいては扉３を前移動可能となる。
【００６１】
なお、実施形態では基台１ｂの前のカバー体１ｃに、鍵手段６７の挿入部６７ｂが通過する挿入孔７４（図１４及び図１５参照）が穿設され、カバー体１ｃよりケース本体の内側に、第１錠手段６４と第２錠手段６５とを、その両鍵穴６４ｂ、６５ｂと挿入孔７４とを同一軸線上となるように配置することで、第１錠手段６４及び第２錠手段６５の鍵穴６４ｂ、６５ｂの配置位置や構造が外から見えなくなるので、より一層防盗性が高まるのである。
【００６２】
図１６に示す第２実施形態では、第１錠手段７５は、その本体７５ａが左右両方向に開口する筒体であって、本体７５ａの上面の穴７５ｃに対して第１掛け金７６の左右方向への起立、倒立と連動して本体７５ａ内で左右方向に移動するブロック７７を備えている。１つの扉３に対して２つ以上の第１錠手段７５を固定枠２の前固定部２ａの上面に左右方向に適宜離して直列状にて固定する。そして、隣接する第１錠手段７５のブロック７７同士を連結杆７８にて固定する。第１掛け金７６は片側に薄い楔型である。その他、第２錠手段６５及びロック規制プレート７２の配置は第１実施形態と同じであるので、図示及び作用の説明は省略する。
【００６３】
この第２実施形態では、１つの第１錠手段７５の本体７５ａの正面の鍵穴７５ｂに、鍵手段６７の挿入部６７ｂを挿入して所定の施錠方向に回動すると、その第１掛け金７６が起立して、支持枠９またはその下面の係止ブロック７１の前面に摺接して圧接すると同時にブロック７７及び連結杆７８を介して隣接する第１錠手段７５における第１掛け金７６も起立し施錠するという連動動作ができる。なお、鍵手段６７を挿入する箇所のの第２錠手段６５の施錠動作にてロック規制プレート７２が施錠状態の第１掛け金７６の姿勢を保持して２重ロックできることは勿論である。これにより、間口方向に長い扉３の場合、１箇所の第１錠手段７５の施錠操作で複数の第１錠手段７５の解施錠が可能となるので、防盗性が向上し、且つ解施錠の操作も簡単になるという効果を奏する。
【００６４】
なお、変形例として支持枠９の前面に直接第１掛け金６９が圧接するように構成しても良い。また、第１錠手段６４の第１掛け金６９と第２錠手段６５の第２掛け金７０の施錠時の立ち上がり回動方向を同じ（例えば時計回り）に設定しても良い。その場合は、ロック規制プレート７２の施錠時の回動方向が、図１４と逆になるように設定配置する。
【００６５】
本発明の展示ケースにおける扉装置は、全ての開口部を開放可能に構成する必要はなく、この構成を用いて、一部を固定扉としても良いことはいうまでもない。
【００６６】
本発明は、前記した形態に限らず、様々な態様に具体化できる。本実施形態では、ケース本体１の前面側を密閉する扉３は二枚配置していたが、これに限らず、一枚の扉で密閉するように構成してもよいし、三枚以上の扉で密閉するように構成してもよい。また、本発明における扉装置は、開口部があれば、ケース本体１の前面側のみならず、四方のいずれの面にも設置することができる。
【図面の簡単な説明】
【００６７】
【図１】ケース本体及び扉装置の概略斜視図である。
【図２】案内支持手段、位置規制手段及び姿勢ロック手段の拡大側断面図である。
【図３】位置規制手段及び姿勢ロック手段を示す扉の一部切欠き平面図である。
【図４】操作部の側断面図である。
【図５】操作部の正面図である。
【図６】作動部及び摺動部の一部切欠き平面図である。
【図７】作動部の側断面図である。
【図８】作動部の一部切欠き要部拡大平面図である。
【図９】位置規制手段による扉の停止状態を示す平面図である。
【図１０】位置規制手段における抜け防止作用の説明図であり、（Ａ）は扉が閉止位置に位置決めされた状態にあるときの位置規制手段の概略図、（Ｂ）は係合ピンが位置決め係合体を右回動させるとともに係合凹所から離間していく状態を示す図、（Ｃ）は係合ピンが位置決め係合体に衝突して通過を阻止される状態を示す図である。
【図１１】（ａ）は位置決め係合体に姿勢ロック手段が当接した状態の平面図、（ｂ）は側断面図である。
【図１２】扉の解施錠のための第１実施形態の２つの錠手段を示す斜視図である。
【図１３】第１実施形態の２つの錠手段の配置関係を示す斜視図である。
【図１４】第１実施形態の平面図である。
【図１５】第１実施形態の側断面図である。
【図１６】第２実施形態の２つの第１錠手段の配置関係を示す斜視図である。
【符号の説明】
【００６８】
１      ケース本体
１ａ    開口部
２      固定枠
３      扉
４      案内支持手段
７      摺動ブロック
７ａ    摺動軸
９      支持枠
１０    垂直転動コロ
１１    ガイドレール
１５、１６      両端部
２２    位置規制手段
２３    係合突起としての係合ピン
２４    位置決め係合体
２５    弾性片
６０    姿勢ロック手段
６１    当接アーム
６４、７５    第１錠手段
６５    第２錠手段
６７    鍵手段
６９、７６    第１掛け金
７０    第２掛け金
７２    ロック規制プレート
【図１】
2006226070.tif 000003
【図２】
2006226070.tif 000004
【図３】
2006226070.tif 000005
【図４】
2006226070.tif 000006
【図５】
2006226070.tif 000007
【図６】
2006226070.tif 000008
【図７】
2006226070.tif 000009
【図８】
2006226070.tif 000010
【図９】
2006226070.tif 000011
【図１０】
2006226070.tif 000012
【図１１】
2006226070.tif 000013
【図１２】
2006226070.tif 000014
【図１３】
2006226070.tif 000015
【図１４】
2006226070.tif 000016
【図１５】
2006226070.tif 000017
【図１６】
2006226070.tif 000018